(57)【要約】【課題】  従来、ロール状の脂取り紙の収納容器において、引き出した脂取り紙が切りにくい、カバン、ハンドバッグ等に入れておくと容器が潰れてしまうというような弊害があった。かかる事情下に鑑み、本発明は収納容器の形状に工夫を施し、上記のような問題点を解消し、且つコストを安価に押さえ市場に提供する。【解決手段】  一枚の薄板を型抜きし折り曲げ、ロール状に形成した脂取り紙を収容する収納部と、収納した脂取り紙の先端を収納部の隙間から引き出し、且つ該脂取り紙を任意の長さに切り取るための押え片と切り刃とを有する突出部からなることを特徴とした収納容器の提供が可能となった。【選択図】    図１
2005255249.tif 000002
【特許請求の範囲】
【請求項１】
薄板を折り曲げ、ロール状に巻いた脂取り紙の収納部と、収納した脂取り紙の先端を収納部の隙間から引き出し、かつ該脂取り紙を任意の長さに切り取るための押え片と切り刃とを有してなるロール状脂取り紙の収納容器であって、該脂取り紙を任意の長さに切り取るための押え片と切り刃とを収納部より脂取り紙の引出し方向に突出して形成したことを特徴とするロール状脂取り紙の収納容器。
【請求項２】
薄板（１）を折り曲げて、（Ｎ１）〜（ＮＸ）部でロール状に巻いた脂取り紙の収納部（Ａ）を形成し、次いで、収納部（Ａ）より延設した、端部に切り刃（４）を有する薄板端部（２）と、端部に切り欠き部（５）を有する薄板端部（３）の間を、収納部（Ａ）より引き出された脂取り紙が通過するように薄板端部（２），（３）を重ね合わせて突出部（Ｂ）を形成することを特徴とする、ロール状脂取り紙収納容器の製造方法。
【発明の詳細な説明】
【技術分野】
【０００１】  本発明は、肌表面の脂分や汚れ等を拭き取るロール状に形成された脂取り紙の収納容器に係るものである。
【背景技術】
【０００２】  近年、主として顔の脂分や汚れ等を拭き取るための脂取り紙が男女を問わず若い人達の間で利用されており、その形状も約５ｃｍ〜１０ｃｍの長方形、所謂携帯用ティシュペーパー形のものから、厚紙を折り曲げて四角形の箱本体を形成し、この箱体内にロール状に巻いた脂取り紙を収納し、四角形の一辺の隙間から、脂取り紙の巻き端を引き出すようにし、さらに箱本体の折り片の端片に設けた切り刃によりその引き出した脂取り紙を切断できるようにした「脂取り紙の収納箱」が知られている。【０００３】  上記ロール状脂取り紙の収納箱は、使用状況に応じて脂取り紙を任意の長さに取り出すことができ、また小型化し得ることよりカバン、ハンドバック等に入れての持ち歩きが便利であるとの利点を有するが、四角形状の紙製箱型の収納容器はカバン、ハンドバック等に入れておくと容器本体や容器の角が潰れてしまうというような弊害があった。また、引き出した脂取り紙を綺麗に切断する目的で、脂取り紙の押え片を切り刃（エッジ部）に強く固定すべく指で押さえると収納容器が潰れる場合があり、適度に押圧する等の注意が必要であった。【０００４】  それゆえ、ロール状に巻いた脂取り紙を収容するために筒状に成形された合成樹脂製の容器本体と、前記脂取り紙の巻き端を引き出すために前記容器本体の筒周壁に沿って少なくとも一方を開口するように穿設された細長孔と、前記細長孔を開閉自在とする開閉蓋と、引き出した脂取り紙を切り取るために前記開閉蓋の端辺に設けられた切り刃と、前記容器本体の筒開口および前記細長孔の開口を開閉自在に着脱する側面蓋とを備えた脂取り紙容器が提案されている。この容器は合成樹脂製で強固であり、脂取り紙の詰め替え作業も簡単で、かつ、断面形状が多角形で美麗で掴み易い等、多くの利点を有するが容器構造が複雑であるがゆえにコストが高いとの欠点を有する。
【特許文献１】特開２００１−３１０７７号公報
【特許文献２】実用新案登録番号第３０６０１０９号
【特許文献３】実用新案登録番号第３０８４７９７号
【発明の開示】
【発明が解決しようとする課題】
【０００５】  本発明が解決しようとする課題は、廉価で強度に優れ、かつ引き出した脂取り紙を収納容器に変形を与えることなく容易に切断し得るロール状脂取り紙の収納容器を提供しようとするものである。
【課題を解決するための手段】
【０００６】  上記課題を解決するため本発明は以下の構成を採用した。すなわち本発明の第一は、薄板を折り曲げ、ロール状に巻いた脂取り紙の収納部と、収納した脂取り紙の先端を収納部の隙間から引き出し、かつ該脂取り紙を任意の長さに切り取るための押え片と切り刃とを有してなるロール状脂取り紙の収納容器であって、該脂取り紙を任意の長さに切り取るための押え片と切り刃とを収納部より脂取り紙の引出し方向に突出して形成したことを特徴とするロール状脂取り紙の収納容器を提供するにある。【０００７】  本発明の第二は、薄板（１）を折り曲げて、（Ｎ１）〜（ＮＸ）部でロール状に巻いた脂取り紙の収納部（Ａ）を形成し、次いで、収納部（Ａ）より延設した、端部に切り刃（４）を有する薄板端部（２）と、端部に切り欠き部（５）を有する薄板端部（３）の間を、収納部（Ａ）より引き出された脂取り紙が通過するように薄板端部（２），（３）を重ね合わせて突出部（Ｂ）を形成することを特徴とする、ロール状脂取り紙収納容器の製造方法を提供するものである。
【発明の効果】
【０００８】  この構成によれば、廉価で、引き出した脂取り紙を収納容器に変形を与えることなく容易に切断可能であり、さらにロール状脂とり紙の詰め替え作業も簡単な収納容器を提供することができる。また、薄板材料として合成樹脂薄板を用いる場合には、押圧強度に優れ、カバンやハンドバックの中でも潰れ難いとの効果を有する。
【発明を実施するための最良の形態】
【０００９】  以下、本発明を図面を用いて詳細に説明するが、ここに示す図面は本発明の一実施態様であり何ら本発明を制限するものではない。【００１０】  図１は本発明に係るロール状脂取り紙収納容器の概要図、図２は図１に示すロール状脂取り紙収納容器の展開図、図３、図４は図１に示すロール状脂取り紙収納容器の組み立て工程時の俯瞰図、図５、図６、図７は図２とは別の実施態様である収納容器の展開図を示すものであり、図中（Ａ）はロール状脂取り紙の収納部、（Ｂ）は収納部（Ａ）に収納した脂取り紙の先端を引出し、所望の長さに切断するための突出部である。【００１１】  （１）は収納容器を構成する薄板、（２）は薄板（１）の両端部の何れか一方の端部であり、該端部の収納部（Ａ）より延設された反対側には引き出されたロール状脂取り紙を切断する切り刃（４）が形成されている。切り刃（４）は薄板（１）にそのまま切り刃を構成しても良いし、刃の部分を金属等の他の材料で別途作成し、これを（２）に固着して（４）を形成しても良い。また切り刃（４）は必ずしも突出部（Ｂ）に対して平行に構成する必要はなく、多少の角度をつけて構成しても構わない。（３）は薄板（１）の両端部の何れか一方の端部であり、該端部の収納部（Ａ）より延設された反対側には引き出されたロール状脂取り紙を引出し易くする切り欠き部（５）が形成されている。【００１２】  薄板（１）の両端部に挟まれた（Ｎ１）〜（ＮＸ）は収納部（Ａ）の筒状部を構成する部分であり、収納部断面が図１の如く６角形の場合には図２の如く（Ｎ１）〜（Ｎ６）の６区分、もし８角形の場合には８区分（Ｎ１）〜（Ｎ８）に構成される。本発明においては、特に制限されないがＸは３〜１２、潰れ難さ、美麗性の点からは５〜８が適用される。図２においては（Ｎ１）〜（Ｎ６）の各々を区分する破線を谷折りにし、端部（２）と（Ｎ１）、端部（３）と（Ｎ６）を区分する一点鎖線を山折りにすることにより図３、図４に示すごとく収納部（Ａ）の形成が可能となる。【００１３】  図２、図５、図６、図７における（Ｌ）および（Ｒ）は（Ｎ１）〜（ＮＸ）により構成された筒状部の両端面を形成する側壁であり、（Ｌ）および（Ｒ）の（Ｎ２）との境に位置する破線を谷折りに、（Ｌ）および（Ｒ）内の一点鎖線を山折りとすることにより図１に示す側壁を形成することが可能である。側壁（Ｌ）および（Ｒ）の形状は収納部（Ａ）の側壁を構成し得るのであれば特に制限されるものではなく、図２の形状でも良いし、図６、図７における（Ｌ）や（Ｒ）、図５における（Ｌ１）、（Ｌ２）、（Ｒ１）、（Ｒ２）のような形状でもよい。【００１４】  図２に示す薄板（１）で収納部（Ａ）を形成するにおいて、（Ｌ）および（Ｒ）の周囲に延設した（９）、（１１）、（１２）を（Ｎ１）〜（ＮＸ）の内壁に接合する場合には、強固な収納容器を形成することができるので推奨し得る。該（Ｎ１）〜（ＮＸ）の内壁への（９）、（１１）、（１２）の接合方法は公知の方法であればよく、例えば接着剤を用いる方法、樹脂を熱溶着する方法、金属等で機械的に係止する方法が挙げられる。収納容器の強度は落ちるものの、（９）、（１１）、（１２）を有する（Ｌ）および（Ｒ）を（Ｎ１）〜（ＮＸ）の内壁と接合せず筒状内に差し込むだけでも本発明の収納容器は利用可能である。また、収納容器側壁は図５の如くキャラメル箱のように差し込み式に形成してもよいし、図７のように（Ｎ２）に差込み穴（１９）、（Ｌ）および（Ｒ）の端部に突起部（２０）を設け、突起部（２０）を差込み穴（１９）に差込む構造としてもよい。【００１５】  図３は図２に示す薄板（１）の（Ｎ１）〜（ＮＸ）の破線部を谷折り、端部（２）と（Ｎ１）、端部（３）と（Ｎ６）を区分する一点鎖線を山折りにし、（Ｌ）および（Ｒ）により側壁を形成し、ロール状脂取り紙を収納する収納部（Ａ）を形成した俯瞰図である。本発明の一実施態様においては、図３の如く収納部（Ａ）を形成した後、図４に示す如く、該収納部（Ａ）にロール状脂取り紙（７）を収納し、収納した脂取り紙の先端を収納部（Ａ）の隙間から引き出し、この脂取り紙を収納部（Ａ）より延設した先端に切り刃（４）を有する薄板端部（２）上に配設した後、収納部（Ａ）の他の部分より延設した薄板端部（３）を薄板端部（２）上に重ね合わせて突出部（Ｂ）を形成する。この重ね合わせは安全性の面から切り刃（４）がついている薄板端部（２）が切取りを目的とした脂取り紙を固定する為の押さえ板である薄板端部（３）より短いことが望ましい。【００１６】  薄板端部（２）と（３）の係止は、必須ではないが、収納部（Ａ）よりのロール状脂取り紙のこぼれ出し防止の点からは、突出部（Ｂ）の端部を金属針で貫通固着してもよいが、ロール状脂取り紙を詰め替え等で収納容器を再使用する場合には、突出部（Ｂ）をダブルクリップ等で緊締する、或は図１に示す如く突出部（Ｂ）の両側に切り欠き部（６）を予め設けておき、図８に示す如くゴムバンド（１８）、或は金属バンド、紐等で固定する方法が推奨される。【００１７】  本発明の実施に際し、収納容器を構成する薄板の素材としては、厚紙、金属板、合成樹脂等が使用可能であるが、就中、加工性、価格、色の種類、強度等からポリプロピレンやポリエチレン等の汎用性合成樹脂材料が推奨される。薄板素材が半透明や透明の場合には収納部に収納した脂取り紙の残量が確認し易いとの利点を有する。薄板が合成樹脂や厚紙の場合には本発明の収納容器はトムソン刃等で簡単に打ちぬき、折り曲げ成形や接合することができるとの利点をも有する。【００１８】  図６は、突出部（Ｂ）をさらに補強し、引き出した脂取り紙の切断を容易にしようとするものであり、端部（３）の上に、脂取り紙が引き出せる巾の空間（１５）を有して延設された補強部（１４）を設けている。該補強部（１４）は端部（３）との境界で山折りして切り刃（４）を覆うように折り返して適用される。また図６に示すように補強部（１４）の先端に凸部（１６）を、端部（２）と（Ｎ１）の境部に差込み口（１７）を形成し、凸部（１６）を差込み口（１７）に差し込み適用してもよい。この場合には、突出部（Ｂ）をゴムバンド等で固着することなく適用可能である。勿論、ゴムバンド等の併用を否定するものではない。これにより図１、図２、図５の態様よりもより強固な突出部（Ｂ）を形成することができる。【００１９】  ロール状脂取り紙を突出部（Ｂ）から引き出す際、図９に示すようなガイド（２��）を用いてもよい。ガイド（２１）は厚み約０．５ｍｍ〜約５ｍｍで直径は収納部（Ａ）の内径と同径もしくはそれよりもわずかに小さい径（例えば約１ｍｍ）である略円盤状或は多角形（五角形や八角形等）で、平板または図９のガイド（２１）に示すようにピン状であってもよい。ガイド（２１）は図９に示す如くロール状脂取り紙と収納部（Ａ）の端部（Ｌ）および（Ｒ）の間に設置し適用する。設置に際してはロール状脂取り紙を収納部（Ａ）に収納し、次いでロール状脂取り紙と収納部（Ａ）の端部（Ｌ）および（Ｒ）の隙間にガイド（２１）を入れるか、予めロール状脂取り紙にガイド（２１）を取り付け、ロール状脂取り紙とガイド（２１）を収納部（Ａ）に装着してもよい。ガイド（２１）の材質はプラスチック、金属、木材、厚紙等特に限定されない。このようなガイド（２１）をこのような態様で用いる場合には、容器に納められたロール状脂取り紙の取り出しがよりスムーズとなり、また収納容器の補強効果を発現するのでその適用が推奨される。
【産業上の利用の可能性】
【００２０】  以上、詳述した如く、本発明のロール状脂取り紙収納容器は、一枚の薄板を折り曲げ、ロール状に巻いた脂取り紙の収納部と、収納した脂取り紙の先端を収納部の隙間から引き出し、かつ該脂とり紙を任意の長さに切り取るための押え片と切り刃とを有してなるロール状脂とり紙の収納容器であって、該脂とり紙を任意の長さに切り取るための押え片と切り刃とを収納部より脂取り紙の引出し方向に突出して形成されたものであり、その製造方法は、一枚の薄板（１）を折り曲げて、（Ｎ１）〜（ＮＸ）部でロール状に巻いた脂取り紙の収納部（Ａ）を形成し、次いで、収納部（Ａ）より延設した、端部に切り刃（４）を有する薄板端部（２）と、端部に切り欠き部（５）を有する薄板端部（３）の間を、収納部（Ａ）より引き出された脂取り紙が通過するように薄板端部（２），（３）を重ね合わせて突出部（Ｂ）を形成するというものである。これにより廉価で強度に優れ、かつ引き出した脂取り紙収納部（Ａ）とは離れた突出部（Ｂ）で切取るため、収納容器に何ら変形を与えることなく容易に切断し得る。また、合成樹脂材料で構成した場合にはハンドバッグやカバンに入れて持ち歩いても変形することは少なく、詰め替え使用も可能であることより産業上の利用価値は頗る大である。
【図面の簡単な説明】
【００２１】
【図１】本発明のロール状脂取り紙収納容器の概略図を示す。
【図２】本発明のロール状脂取り紙収納容器の展開図を示す。
【図３】本発明のロール状脂取り紙収納容器の俯瞰図を示す。
【図４】本発明のロール状脂取り紙収納容器の俯瞰図を示す
【図５】本発明のロール状脂取り紙収納容器の展開図を示す。
【図６】本発明のロール状脂取り紙収納容器の展開図を示す。
【図７】本発明のロール状脂取り紙収納容器の展開図を示す。
【図８】本発明のロール状脂取り紙収納容器を構成する突出部の固定例を示す。
【図９】本発明のロール状脂取り紙収納容器を構成する容器部の補強の一実施態様を示す。
【符号の説明】
【００２２】（Ａ）収納部
（Ｂ）突出部
（Ｌ）、（Ｒ）収納部側壁
（１）薄板
（２）端部
（３）端部
（４）切り刃
（５）切り欠き部
（６）切り欠き部
（７）ロール状脂取り紙
（１４）補強部
（１６）差し込み凸部
（１７）差し込み口
（１８）ゴムバンド
（１９）差込み穴
（２０）突起部
（２１）ガイド
【図１】
2005255249.tif 000003
【図２】
2005255249.tif 000004
【図３】
2005255249.tif 000005
【図４】
2005255249.tif 000006
【図５】
2005255249.tif 000007
【図６】
2005255249.tif 000008
【図７】
2005255249.tif 000009
【図８】
2005255249.tif 000010
【図９】
2005255249.tif 000011